(57)【要約】【課題】ストラップやイヤリングの様にぶら下げて使用する電池ボックス１のスィッチを片手で簡単にオンオフと切替て楽しく癒し和む煌びやかな装身具を安価にも、又絢爛豪にも楽しめる装身具を構成できる電池ボックスである。【解決手段】本発明の電池ボックス１は、電池４を収納し、透過性を有する電池収納部２ｂの内部角部２ａに、一対の電極６ａ、７ａが、電池陽極７および電池陰極６に各々接触するように発光素子３が設けられている。【選択図】図５
2020194761.tif 000002
【特許請求の範囲】
【請求項１】
電池を収納し、透過性を有する電池収納部の内部角部に、一対の電極が、電池陽極および電池陰極に各々接触するように発光素子が設けられた電池ボックス。
【請求項２】
前記電池収納部を覆うキャップが、前記電池陽極または前記電池陰極と前記発光素子のいずれか一方の電極との接触を解除する突起を有する請求項１記載の電池ボックス。
【請求項３】
前記発光素子は、前記両極間に凹部が形成された請求項１記載の電池ボックス。
【請求項４】
前記電池収納部を覆うキャップの下部に、前記発光素子の一方の前記電極と前記電池の一方の前記電極にマイクロスイッチの一対の端子が各々接触するように設けられた請求項１記載の電池ボックス。
【発明の詳細な説明】
【技術分野】
【０００１】  本発明は電池ボックスに関するものである。
【背景技術】
【０００２】  従来のスイッチ付き電池ボックスは、特許文献１に記載のように、キャップ裏に回転電動盤やＬＥＤ端子を底部内面や側壁内面に埋設されていた。電池ボックスとキャップを螺着されているため、電池交換時のキャップ落下等が生じ、取扱いが容易ではなかった。
【先行技術文献】
【０００３】
【特許文献１】特許第６３３１０５７号公報
【０００４】
【発明の概要】
【発明が解決しようとする課題】
【０００５】  発光するストラップやイヤリングの様にぶら下げて使用する装身具を、夜道の暗闇の場所でも行動しながら、片手でスイッチをオンオフと容易に切替えることができ、暗闇で目立つので防犯に役立ち、又、煌びやかに楽しむことがでる装身具を、小型軽量化と単純に簡素化で絢爛豪華な装身具を構成できる電池ボックスを提供しょうとするものである。
【課題を解決するための手段】
【０００６】  本発明は、電池を収納し、透過性を有する電池収納部の内部角部に、一対の電極が、電池陽極および電池陰極に各々接触するように発光素子が設けられた電池ボックスである。
【発明の効果】
【０００７】  以上の構成により、本発明によれば、透過性を有する電池収納部の内部角部に、一対の電極が、電池陽極および電池陰極に各々接触するように発光素子が設けられているので、小型軽量化が可能で、片手でスィッチをオンオフと容易に切替えることができ、防犯に役立ち、絢爛豪華な装身具を構成することができる。
【図面の簡単な説明】
【０００８】
【図１】使用状態正面図
【図２】図１の拡大図
【図３】図２のＡ−Ｂ下部の断面図
【図４】図２のＣ−Ｄ断面図
【図５】図４の下部拡大断面図
【図６】図２ボックスの内面図
【図７】図５の応用参考図
【図８】発光素子凹部型斜視図
【図９】発光素子Ｌ字型斜視図
【図１０】図４下部の応用参考図
【図１１】図７下部の応用図
【発明を実施するための形態】
【０００９】  図１〜図５において、本実施の形態の電池ボックス１は、電池４を収納し、透過性を有する電池収納部２ｂの内部角部である底部角２ａに、一対の電極７ａ、６ａが、電池陽極７および電池陰極６に各々接触するように発光素子３が設けられている。  電池収納部２ｂを覆うキャップ５が、電池陽極７または電池陰極６と発光素子３のいずれか一方の電極７ａ、６ａとの接触を解除する突起９を有している。  発光素子３は、両極６ａ、７ａ間に凹部８が形成されている。  図１は、本実施の形態の電池ボックスで構成された装身具のイヤリングの装飾体の使用状態を示す図であるが、ピアスやストラップ装飾体にも応用することができる。  図２〜図５に示すように、本実施の形態の、透過性を有する電池ボックス１は、電池収納部２ｂと、キャップ５を、蝶番１２で、一体成形されており、開口部２の底部角２ａに発光素子３が設けられている。  すなわち、本実施の形態により構成された装身具は、一体成形された電池収納部２ｂおよびキャップ５と、発光素子３と、電池４との３個のパーツから構成され、ＬＥＤの端子や配線不要で軽く単純に小型軽量で簡素化に容易にできる。
【００１０】  図２は、図１の拡大図、図３、図４はその断面図である。電池ボックス１の裏に蝶番１２で連結されたキャップ５が設けられている。キャップ５は、透過性の電池ボックス１の外側面に着色やホログラム等の装飾布を張り合わせ等で施したり、ネイルアートの装飾を施すことができる。又、装身具のボタンを覆う様に、くるみ電池ボックスもできる。
【００１１】  電池ボックス１の電池収納部２ｂに収納された電池４が、電池ボックス１の円形の開口部２の、外側の半周部分の両端部にキャップ５と嵌合する嵌合部１１ｂ、１１ｃが形成されている。  図６は、電池ボックス１のキャップ５を開いた状態を示す内面図である。図６に示す通り、電池ボックス１とキャップ５を蝶番１２で連結一体成形された開口部２の、底部角２ａに、図５に示す発光素子３の両極面６ａ、７ａを、開口部２に向け傾斜を付けて設置した。発光素子３の陰極６ａと陽極７ａの間には凹部８が形成されており、電池４の電池陰極６と電池陽極７の境目１５を跨ぎ接触しやすく構成されている。  また、キャップ５には、電池ボックス１の嵌合部１１ｂ、１１ｃと嵌合する嵌合部１１ｄ、１１ｅが形成されている。嵌合部１１ｂ、１１ｃと嵌合部１１ｄ、１１ｅとは、キャップ５がスライドできるように、やや緩めに嵌合するように形成されている。
【００１２】  図４は、図２のＣ−Ｄの断面図で、上記したように、電池ボックス１とキャップ５とで嵌合部１１が形成されている。下部円内に示すように発光素子３と、電池４は互いの電極同士が接触しており、蝶番１２で開閉するキャップ５の裏面には、発光素子３と電池４との接触部近傍に向けて突出する突起９が形成されている。これにより、電池ボックス１に収納されている電池４を、キャップ５の裏に設けられた突起９で、上の空間１６に移動する。従って、電池ボックス１の下部の発光素子３の陽極６ａと陰極６ａから電池陽極６と電池陰極７を離してオフにすることができる。
【００１３】  図５は、図４の円内の拡大図で、電池ボックス１の底部角２ａに発光素子３を、傾斜を付けて設置してある。なお、現在市販されているＬＥＤ発光素子３は、直方体であるため、電池４の両極（電池陰極６、電池陽極７）面の境目１７に接触調整が容易でなかったため、上記したように、境目１７に跨ぎ、電池陰極６、電池陽極７に接触しやすくするため、図８の斜視図に示す様に凹部８を設けてある。
【００１４】  図９は、発光素子３の他の形状を示す斜視図で、側面が直角Ｌ字型の形状を有している。この場合も、図８の形状と同様に、電極６ａ、７ａが電池４の電池陰極６、電池陽極７の境目を跨いでそれぞれ接触することができる。  すなわち、図８、図９で示した発光素子３を傾斜させて電池収納部２ｂの底部角２ａに設けることで電池４の両極面に発光素子３の両極面が接触できる。  尚、電池４の種類によって電池陰極６と電池陽極７の高さが微妙に違うことがあり、一般の直方体の発光素子３では、電池収納部２ｂに傾斜を付けて角度を調整するのが容易ではないが、図８、図９に示すように、直角Ｌ字型や、平仮名のくの字型や平仮名のへの字型の両端に各々両極面を設けて内角部に凹部８を設けられた発光素子３を用いることで電池収納部２ｂへの取り付けが容易になる。
【００１５】  上記したように、図４のキャップ５の裏面の突起９で、電池ボックス１の上部空間１６に電池４を押し上げて、発光素子３と電池４の接触をオフにできる機構は、図５の点線に示す通りである。突起９は、円柱状や三角錐や、板状体などでも介在できる。
【００１６】  電池収納部２ｂが透過性を有しない場合は底部角２ａに孔を設けて、発光素子３で孔を塞ぎ、発光素子３の周囲に宝飾品を装着することにより、より豪華な輝きを得ることができる。
【００１７】  図６は、電池ボックス内部の拡大図で、電池収納部２ｂを有する開口部２に設けられた、嵌合部１１と向き合うキャップ５を蝶番１２で電池収納部２ｂと連結している。嵌合部１１と嵌合部１１ａとが嵌合し、キャップ５の突起９が電池ボックス１の蝶番１２の近傍に設けられた突起挿入穴９ａに挿入される。  尚、陽極６ａと陰極７ａを有する発光素子３は、電池ボックス１の蝶番１２の近傍に設けられた突起挿入穴９ａに近接して設けられている。キャップ５を、図５の点線矢印に示すように上に移動することにより、電池ボックス１の開口部２に設けられたストッパー凸部１４を、キャップ５側の蝶番１２の近傍に設けられたストッパー凸部１５ａが乗り越え、ストッパー凸部１４を超えて停止し、発光素子３と電池４との接触をオフにすることができる。
【００１８】  すなわち、この電池ボックス１は、図６に示すような縦方向で使用するので、ストッパー凸部１５ａは、ストッパー凸部１４を乗り超えると、下方への移動が阻止され、突起９が突起挿入穴９ａの上方に移動した状態が保持され、発光素子３と電池４との接触のオフを維持できる。
【００１９】  図７は、本発明の他の実施の形態を示す図で、図５に対応している。図７において、電池ボックス１の底部角２ａに、発光素子３が設置され、電池ボックス１の電池収納部２ｂ内に電池４が収納されている。
【００２０】  キャップ５には、キャップ５を貫通するように頭付きピン１３が設けられており、頭付きピン１３を外側から圧迫することにより、発光素子３と電池４の間にピン先１３ａが介在し、点線で示すように、電池４が上に移動し、発光素子３と電池４との接触をオフにできる。尚、ストッパー１４ａはピン離脱防止用に設けられている。  本実施の形態によれば、暗い場所でも歩きなが容易に切替えて使用する事ができる。
【００２１】  図８は、従来の発光素子３の、陽極６ａと陰極７ａの間が平坦のため、電池４の電池陰極６と電池陽極７の境目１７に接触調整が容易でない場合に、電池４の境目１７を跨ぎ接触し安く凹部８を設けた発光素子３を示している。
【００２２】  図９は、側面がＬ字型の直角形状である発光素子３を示す斜視図である。この発光素子３は、屈曲部が凹部８を形成しており、電池４の両極６ａ、７ａに接触しやすい。  本発明は、このような形状以外に、平仮名のくの字や平仮名のへの字の形状の発光素子３の、内側部の角の凹部８を利用しても、電池４の両電極に接触しやすい。  また、発光素子３の両端部の陽極６ａと陰極７ａとが関係なく発光する素子の場合は、プラスマイナスを限定しない。
【００２３】  図１０は、本発明のさらに他の実施の形態を示す図で、図４の下部円内に対応している。図１０において、電池収納部２ｂに、電池陰極７と電池陽極６の両極面を、図４の場合とは逆に開口部に向けて電池４を収納してある。  キャップ５の裏面に、発光素子３を、陽極６ａと陰極７ａが電池４の両極面に各々接触するように傾斜をつけて設けてある。キャップ５は電池ボックス１に蝶番１２で回動自在に設けられている。  すなわち、キャップ５は、図１０に示すように、電池ボックス１の下方部分を蝶番１２で開閉できるようになっており、キャップ５を閉じた状態では、発光素子３は電池収納部２ｂの内部角部に傾斜して位置することになる。図１０では、キャップ５が開成した状態を点線で、閉成した状態を実線で示している。したがって、本実施の形態によれば、キャップ５を開閉することにより、発光素子３と電池４との接触のオンオフができる。
【００２４】  図１１は、本発明のさらに別の実施の形態を示す図で、図７に対応している。図１１において、電池収納部２ｂを覆うキャップ５の下部に、発光素子３の一方の電極６ａ（７ａ）と電池４の一方の電極６（７）に、マイクロスイッチ１９の一対の端子２１ａ、２１が各々接触するように設けられている。  すなわち、本実施の形態では、電池収納部２ｂの内部角部に、一対の電極６ａ、７ａが、電池陽極６および電池陰極７に、マイクロスイッチ１９を介して、各々接触するように発光素子３が設けられている。  電池ボックス１の電池収納部２ｂの底部開口部側で、発光素子３の陰極７ａと電池４の陽極７とが接触し、キャップ５の下部に設けられたマイクロスイッチ１９の一方の端子２2020194761.tif 000003
池陰極６と接触している。  本実施の形態によれば、マイクロスイッチ１９のプッシュボタン２０で、発光素子３と電池４との接触のオンオフができる。尚、キャップ５の下部と同様に嵌合部１１を上部端に設ける事ができる。又、蝶番１２をキャップ５の中心部分に設けて一体成形することができる。  以上のように、いずれの実施の形態においても、本発明では、プラスチック製のイヤリングやストラップの電池ボックス装飾体では安価な装身具が得られる。また、水晶体の電池ボックスの表面に宝石を設けてＬＥＤの光を透過させることにより、絢爛豪華な装身具を煌びやかにストラップやイヤリングとして楽しむことができる。
【符号の説明】
【００２５】１  電池ボックス２  開口部２ａ  底部角２ｃ  底部２ｂ  電池収納部３  発光素子４  電池５  キャップ５ａ  キャップ６  電池陰極６ａ  陽極７  電池陽極７ａ  陰極８  凹部９  突起９ａ  突起挿入穴１０  宝石１１  嵌合部１１ａ  嵌合部１１ｂ  嵌合部１１ｃ  嵌合部１１ｄ  嵌合部１１ｅ  嵌合部１２  蝶番１３  頭付きピン１３ａ  ピン先１４  ストッパー凸部１４ａ  ストッパー１５ａ  ストッパー凸部１６  空間１７  境目１８  Ｌ字型１９  デジタルスイッチ２０  プッシュボタン２１  端子２１ａ  端子
【図１】
2020194761.tif 000004
【図２】
2020194761.tif 000005
【図３】
2020194761.tif 000006
【図４】
2020194761.tif 000007
【図５】
2020194761.tif 000008
【図６】
2020194761.tif 000009
【図７】
2020194761.tif 000010
【図８】
2020194761.tif 000011
【図９】
2020194761.tif 000012
【図１０】
2020194761.tif 000013
【図１１】
2020194761.tif 000014
【手続補正書】
【提出日】令和1年7月8日(2019.7.8)
【手続補正１】
【補正対象書類名】明細書
【補正対象項目名】００１６
【補正方法】変更
【補正の内容】
【００１６】  電池収納部２ｂが透過性を有しない場合は底部角２ａに孔を設けて、発光素子３で孔の一部を塞ぎ、発光素子３の裏面や周囲に宝飾品を装着することにより、裏面から照射される光や周囲から照射される光が宝飾品を透過し、より豪華な輝きを得ることができる。
【手続補正２】
【補正対象書類名】明細書
【補正対象項目名】００２５
【補正方法】変更
【補正の内容】
【００２５】１  電池ボックス
２  開口部
２ａ  底部角
２ｃ  底部
２ｂ  電池収納部
３  発光素子
４  電池
５  キャップ
５ａ  キャップ
６  電池陰極
６ａ  陽極
７  電池陽極
７ａ  陰極
８  凹部
９  突起
９ａ  突起挿入穴
１０  宝石
１１  嵌合部
１１ａ  嵌合部
１１ｂ  嵌合部
１１ｃ  嵌合部
１１ｄ  嵌合部
１１ｅ  嵌合部
１２  蝶番
１３  頭付きピン
１３ａ  ピン先
１４  ストッパー凸部
１４ａ  ストッパー
１５ａ  ストッパー凸部
１６  空間
１７  境目
１８  Ｌ字型
１９  マイクロスイッチ
２０  プッシュボタン
２１  端子
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
電池陽極および電池陰極を有する電池を収納し、透過性を有する電池収納部の内部の底部角部に、一対の電極が、前記電池陽極および前記電池陰極に各々直接接触するように発光素子が設けられ、前記電池収納部を覆うキャップが、前記電池陽極または前記電池陰極と前記発光素子のいずれか一方の電極との接触を、前記電池を移動することにより解除する突起を有する電池ボックス。
【請求項２】
前記発光素子は、前記一対の電極を構成する二つの電極の間に凹部が形成された請求項１の記載の電池ボックス。
【請求項３】
電池陽極および電池陰極を有する電池を収納し、透過性を有する電池収納部の内部の底部角部に、一対の電極を構成する二つの前記電極のうち一方の前記電極が前記電池陽極又は前記電池陰極のいずれか一方に直接接触するように発光素子が設けられ、前記電池収納部を覆うキャップの下部に、前記発光素子の他方の前記電極と前記電池陽極又は前記電池陰極のいずれか他方にマイクロスイッチの一対の端子が各々接触するように、前記マイクロスイッチが設けられた電池ボックス。